(57)【要約】【課題】装置の利用における目的に対応した設定値として、操作説明画像に対応した設定値又は利用者が設定した設定値を、１以上の機能の各々に対して設定するための機能設定装置を提供する。【解決手段】装置の利用における目的に対応した設定値を１以上の機能の各々に対して設定するための設定用画面に対する操作を説明するための操作説明画像を再生する操作説明画像再生手段と、操作説明画像の再生中又は操作説明画像の再生の終了後に、外部からの入力に従って、１以上の機能の少なくとも一部に対する初期設定値を他の設定値に変更する設定値変更手段と、他の設定値を装置に対応させて登録する登録手段と、を備える。【選択図】図１
2018011255.tif 000002
【特許請求の範囲】
【請求項１】
装置の利用における目的に対応した設定値を１以上の機能の各々に対して設定するための設定用画面に対する操作を説明するための操作説明画像を再生する操作説明画像再生手段と、
前記操作説明画像の再生中又は前記操作説明画像の再生の終了後に、外部からの入力に従って、前記１以上の機能の少なくとも一部に対する初期設定値を他の設定値に変更する設定値変更手段と、
前記他の設定値を前記装置に対応させて登録する登録手段と、
を備えることを特徴とする機能設定装置。
【請求項２】
請求項１に記載の機能設定装置であって、
前記初期設定値を１以上の機能の各々に対して設定する初期設定値設定手段を更に備え、
前記登録手段は、前記設定値変更手段により変更されない機能については前記初期設定値を、前記設定値変更手段により変更された機能については前記他の設定値を前記装置に対応させて登録することを特徴とする機能設定装置。
【請求項３】
請求項１又は２に記載の機能設定装置であって、
前記操作説明画像の再生中に、外部から所定の入力があったならば、その時に前記操作説明画像において何の機能の値を設定しているのかを特定する機能特定手段を更に備え、
前記設定値変更手段は、前記機能特定手段により特定された機能に対する前記初期設定値を他の設定値に変更することを特徴とする機能設定装置。
【請求項４】
請求項１又は２に記載の機能設定装置であって、
前記操作説明画像の再生中に、外部から所定の入力があったならば、その時に前記操作説明画像において何の機能の値を設定しているのかを特定する機能特定手段と、
前記機能特定手段により特定された機能及び他の機能の少なくとも一部を、前記機能特定手段により特定された機能と前記他の機能の少なくとも一部との区別が付くように表示する機能表示手段と、
を更に備え、
前記設定値変更手段は、前記機能表示手段が表示した機能のうち外部から選択された機能に対する前記初期設定値を他の設定値に変更することを特徴とする機能設定装置。
【請求項５】
請求項１又は２に記載の機能設定装置であって、
前記操作説明画像の再生の終了後に、外部から所定の入力があったならば、前記１以上の機能の少なくとも一部を表示する機能表示手段を更に備え、
前記設定値変更手段は、前記機能表示手段が表示した機能のうち外部から選択された機能に対する前記初期設定値を他の設定値に変更することを特徴とする機能設定装置。
【請求項６】
請求項１乃至５の何れか１項に記載の機能設定装置であって、
前記設定値変更手段が前記初期設定値を他の値に変更するため設定用画面を表示する設定用画面表示手段を更に備えることを特徴とする機能設定装置。
【請求項７】
請求項６に記載の機能設定装置であって、
前記設定用画面は、１又は２以上の機能に対応することを特徴とする機能設定装置。
【請求項８】
請求項６又は７に記載の機能設定装置であって、
何れかの設定用画面から他の何れかの設定用画面に遷移することが可能であることを特徴とする機能設定装置。
【請求項９】
請求項１乃至８の何れか１項に記載の機能設定装置を備えることを特徴とする画像形成装置。
【請求項１０】
装置の利用における目的に対応した設定値を１以上の機能の各々に対して設定するための設定用画面に対する操作の操作説明画像を再生する操作説明画像再生ステップと、
前記操作説明画像の再生中又は前記操作説明画像の再生の終了後に、外部からの入力に従って、前記１以上の機能の少なくとも一部に対する初期設定値を他の設定値に変更する設定値変更ステップと、
前記他の設定値を前記装置に対応させて登録する登録ステップと、
を備えることを特徴とする機能設定方法。
【請求項１１】
装置の利用における目的に対応した設定値を１以上の機能の各々に対して設定するための設定用画面に対する操作の操作説明画像を再生する操作説明画像再生手段と、
前記操作説明画像の再生中又は前記操作説明画像の再生の終了後に、外部からの入力に従って、前記１以上の機能の少なくとも一部に対する初期設定値を他の設定値に変更する設定値変更手段と、
前記他の設定値を前記装置に対応させて登録する登録手段と、
を備える機能設定装置としてコンピュータを機能させることを特徴とする機能設定用プログラム。
【発明の詳細な説明】
【技術分野】
【０００１】
本発明は、装置の利用における目的に対応した設定値を１以上の機能の各々に対して設定するための機能設定装置、機能設定方法及び機能設定用プログラムに関する。
【背景技術】
【０００２】
特許文献１には、ユーザが設定操作を行う電子装置において、Webページを用いて信頼性及び操作性の向上を図ることが可能な入力操作方法を実現することを目的として、電子装置としての複合機にWebサーバ機能を持たせ、各種情報処理端末をクライアントとし、Webを構築する技術が開示されている。設定操作をガイドするマニュアル（動画に音声を付け、設定操作の手順の進行をシミュレートする）をWebページとして備え、誰でも容易に操作ができるようにされている。設定操作は、クライアント端末に提供されるマニュアル画面に示される操作部に対するキー等への入力指示によりその手順を進行させるようになっている。設定終了後、Web上でクライアント端末から処理の実行を指示すると、複合機は、設定に従った動作を実行し、クライアント端末に、設定内容を通知し、処理が終了するまでの進行の経過を音声で知らせるようになっている。
【先行技術文献】
【特許文献】
【０００３】
【特許文献１】特開２００３−４８３８２号公報
【発明の概要】
【発明が解決しようとする課題】
【０００４】
しかしながら、特許文献１の技術では、装置に対して所定の設定しかすることができず、自由度に欠ける。例えば、複合機といった装置においては、装置の種々の機能に対して種々の設定値が設定されることが可能であるので、これに対応するためには、1つの操作説明画像に対して固定した設定値しか設定できないならば、多数の操作説明画像が必要となってしまう。
【０００５】
そこで、本発明は、装置の利用における目的に対応した設定値として、操作説明画像に対応した設定値又は利用者が設定した設定値を、１以上の機能の各々に対して設定するための機能設定装置、機能設定方法及び機能設定用プログラムを提供することを目的とする。
【課題を解決するための手段】
【０００６】
本発明によれば、
装置の利用における目的に対応した設定値を１以上の機能の各々に対して設定するための設定用画面に対する操作を説明するための操作説明画像を再生する操作説明画像再生手段と、
前記操作説明画像の再生中又は前記操作説明画像の再生の終了後に、外部からの入力に従って、前記１以上の機能の少なくとも一部に対する初期設定値を他の設定値に変更する設定値変更手段と、
前記他の設定値を前記装置に対応させて登録する登録手段と、
を備えることを特徴とする機能設定装置が提供される。
また、本発明によれば、上記の機能設定装置を備えることを特徴とする画像形成装置が提供される。
更に、本発明によれば、
装置の利用における目的に対応した設定値を１以上の機能の各々に対して設定するための設定用画面に対する操作の操作説明画像を再生する操作説明画像再生ステップと、
前記操作説明画像の再生中又は前記操作説明画像の再生の終了後に、外部からの入力に従って、前記１以上の機能の少なくとも一部に対する初期設定値を他の設定値に変更する設定値変更ステップと、
前記他の設定値を前記装置に対応させて登録する登録ステップと、
を備えることを特徴とする機能設定方法が提供される。
更に、本発明によれば、
装置の利用における目的に対応した設定値を１以上の機能の各々に対して設定するための設定用画面に対する操作の操作説明画像を再生する操作説明画像再生手段と、
前記操作説明画像の再生中又は前記操作説明画像の再生の終了後に、外部からの入力に従って、前記１以上の機能の少なくとも一部に対する初期設定値を他の設定値に変更する設定値変更手段と、
前記他の設定値を前記装置に対応させて登録する登録手段と、
を備える機能設定装置としてコンピュータを機能させることを特徴とする機能設定用プログラムが提供される。
【発明の効果】
【０００７】
本発明によれば、装置の利用における目的に対応した設定値として、操作説明画像に対応した設定値又は利用者が設定した設定値を、１以上の機能の各々に対して設定することができる。
【図面の簡単な説明】
【０００８】
【図１】本発明の実施形態による機能測定装置の構成を示す機能ブロック図である。
【図２】本発明の第１の実施形態による機能測定装置の動作を説明するためのフローチャート（１／４）である。
【図３】本発明の第１の実施形態による機能測定装置の動作を説明するためのフローチャート（２／４）である。
【図４】本発明の第１の実施形態による機能測定装置の動作を説明するためのフローチャート（３／４）である。
【図５】本発明の第１の実施形態による機能測定装置の動作を説明するためのフローチャート（４／４）である。
【図６】本発明の第２の実施形態による機能測定装置の動作を説明するためのフローチャート（１／４）である。
【図７】本発明の第２の実施形態による機能測定装置の動作を説明するためのフローチャート（２／４）である。
【図８】本発明の第２の実施形態による機能測定装置の動作を説明するためのフローチャート（３／４）である。
【図９】本発明の第２の実施形態による機能測定装置の動作を説明するためのフローチャート（４／４）である。
【図１０】本発明の第３の実施形態による機能測定装置の動作を説明するためのフローチャートである。
【図１１】本発明の実施形態による複合機の構成を示す断面図である。
【図１２】本発明の実施形態による機能設定装置が表示する変更確認用画面を示す図である。
【図１３】本発明の実施形態による機能設定装置が表示する機能選択画面を示す図である。
【図１４】本発明の実施形態による機能設定装置が表示する動画再生確認画面を示す図である。
【図１５】本発明の実施形態による機能設定装置が表示する機能利用確認画面を示す図である。
【図１６】本発明の実施形態による機能設定装置が表示する登録／プレビュー選択画面を示す図である。
【図１７】本発明の実施形態による機能設定装置が表示する画面を示す図である。
【図１８】本発明の実施形態による機能設定装置が表示する登録番号選択画面を示す図である。
【図１９】本発明の実施形態による機能設定装置が表示するプレビュー確認画面を示す図である。
【図２０】本発明の実施形態による機能設定装置が表示するプレビュー画面を示す図である。
【図２１】本発明の実施例１による機能設定装置の動作を説明するための概念図である。
【図２２】本発明の実施例２による機能設定装置の動作を説明するための概念図である。
【図２３】本発明の実施例３による機能設定装置の動作を説明するための概念図である。
【図２４】本発明の実施例４による機能設定装置の動作を説明するための概念図である。
【図２５】本発明の実施例５による機能設定装置の動作を説明するための概念図である。
【図２６】本発明の実施例６による機能設定装置の動作を説明するための概念図である。
【図２７】本発明の実施例７による機能設定装置の動作を説明するための概念図である。
【図２８】本発明の実施例８による機能設定装置の動作を説明するための概念図である。
【図２９】本発明の実施例９による機能設定装置の動作を説明するための概念図である。
【図３０】本発明の実施例１による機能設定装置が表示するカードスキャン設定用対話画面を示す図である。
【図３１】本発明の実施例２による機能設定装置が表示する用紙サイズ設定用対話画面を示す図である。
【図３２】本発明の実施例２による機能設定装置が表示する集約ページ数設定用対話画面を示す図である。
【図３３】本発明の実施例２による機能設定装置が表示する境界線設定用対話画面を示す図である。
【図３４】本発明の実施例２による機能設定装置が表示する両面コピー設定用対話画面を示す図である。
【図３５】本発明の実施例４による機能設定装置が表示する集約ページ設定兼境界線設定用対話画面を示す図である。
【図３６】本発明の実施例５による機能設定装置が表示する集約ページ数設定用対話画面を示す図である。
【発明を実施するための形態】
【０００９】
以下、図面を参照して本発明を実施するための形態について詳細に説明する。
［第１の実施の形態］
図１は、本発明の第１の実施の形態による機能設定装置の構成を示すブロック図である。
【００１０】
図１を参照すると、機能設定装置１０１は、画像形成部１４１と画像読取部１４３に接続されている。また、機能設定装置１０１は、タッチパネル付き画面１０３、目的選択部１０５、一時記憶部１０７、初期設定値設定部１０９、動画再生部１１１、設定値変更部１１３、設定格納部１１５、登録部１１７、割込受付部１１９、機能特定部１２１、機能表示部１２３、設定用画面表示部１２５、プレビュー部１２７、画像形成起動部１２９、画像読取装置起動部１３１を含む。
【００１１】
タッチパネル付き画面１０３は、文字、図形などを表示し、また、利用者からの入力を受け付ける。
【００１２】
目的選択部１０５は、利用者からのタッチパネル付き画面１０３に対する入力に応じて、機能設定対象装置である画像形成部１４１又は画像読取部１４３の利用における目的を選択する。ここで、利用における目的とは、例えば、名刺などのカードスキャン、用紙の節約などである。
【００１３】
初期設定値設定部１０７は、機能設定対象装置の利用における目的に対応した初期設定値を１以上の機能の各々に対して設定する。
【００１４】
一時記憶部１０９は、初期設定値設定部１０７が設定した初期設定値を一時記憶する。
【００１５】
動画再生部１１１は、利用における目的に対応した設定値を１以上の機能の各々に対して設定するための設定用画面に対する操作の動画を再生する。
【００１６】
設定値変更部１１３は、動画の再生中又は前記動画の再生の終了後に、割込受付部１１５等が受け付けた外部（例えば、タッチパネル付画面１０３）からの入力に従って、１以上の機能の少なくとも一部に対する前記初期設定値を他の設定値に変更する。
【００１７】
一時記憶部１０９は、初期設定値設定部１０７が設定した初期設定値を設定値変更部１１３が変更した初期設定値に置き換えて一時記憶する。
【００１８】
登録部１１９は、変更されない機能については初期設定値を、変更された機能については変更後の設定値を機能設定対象装置に対応させて設定格納部１１７に登録する。
【００１９】
機能特定部１２１は、動画の再生中に、割込受付部１１５等が受け付けた外部から所定の入力があったならば、その時に前記動画において何の機能の値を設定しているのかを特定する。ここで、設定値変更部１１３は、機能特定部１２１により特定された機能に対する初期設定値を他の設定値に変更する。
【００２０】
又は、機能表示部１２３は、機能特定部１２１により特定された機能及び初期設定値設定部１０７により初期設定値が設定された他の機能の少なくとも一部を、機能特定部１２１により特定された機能と初期設定値設定部１０７により初期設定値が決定された他の機能の少なくとも一部との区別が付くように表示する。ここで、設定値変更部１１３は、機能表示部１２３が表示した機能のうち外部から選択された機能に対する初期設定値を他の設定値に変更する。
【００２１】
設定用画面表示部１２５は、設定値変更部１１３が初期設定値を他の値に変更するため設定用画面を表示する。
【００２２】
プレビュー部１２７は、画像読取部１４３が読取った画像に基づいて、設定格納部１１７に格納されている各機能の設定値を用いて、プレビューをする。
【００２３】
画像形成起動部１２９は、画像形成部１４１による画像形成を起動するが、その際に、画像読取部１４３から入力した画像と設定格納部１１７に格納されている各機能の設定値を画像形成部１４１に出力する。
【００２４】
画像読取起動部１３１は、画像読取部１４３による画像読取を起動するが、その際に、設定格納部１１７に格納されている各機能の設定値を画像読取部１４１に出力する。
【００２５】
制御部１３３は、機能設定装置１０１の全体を制御する。
【００２６】
次に、図２、図３、図４、図５を参照して、本発明の第１の実施の形態による機能設定装置の動作について説明する。
【００２７】
図２を参照すると、まず、目的に応じて、各機能に対する初期設定値を設定し、これを一時保存する（ステップＳ２００）。
【００２８】
次に、動画の再生（ステップＳ２０１）を開始してから終了するまで（ステップＳ２０３でＮＯである期間）、変更ボタンの押下がなければ（ステップＳ２０５でＮＯ）、動画の再生の終了後に（ステップＳ２０３でＹＥＳ）ステップＳ２２９（図４）に進む。
【００２９】
動画の再生を開始してから終了するまで、変更ボタンの押下があれば（ステップＳ２０５でＹＥＳ）、図１２に示すような確認画面８０１で「はい」ならば、図１３に示すような選択用画面を表示する（ステップＳ２０７）。ここで、図１３の例では、過去再生された部分に対応する１つの機能と、現在再生されている部分に対応する１つの機能と、将来再生される部分に対応する１つの機能が、これらの区別が付くように表示されているが、一般には、これらの３種類（過去、現在、未来）の部分のそれぞれに１以上の機能を対応させて、これらの３種類の部分に対応する機能の区別がつくように表示する。また、現在再生されている部分に対応する機能のみをそれに対応した設定指定ボタンで選択することができるようにしてもよいし、任意の機能をそれに対応した設定指定ボタンで選択することができるようにしてもよい。
【００３０】
図３を参照すると、何れかの設定指定ボタンが押下されたならば（ステップＳ２０９でＹＥＳ）、押下された設定指定ボタンに対応した設定用対話画面（例えば、図３０に示すような画面１０３）を表示する（ステップＳ２１１）。
【００３１】
設定用対話画面で何れかのボタンが押下され（ステップＳ２１５でＹＥＳ）、それがＯＫボタンならば（ステップＳ２１７でＹＥＳ）、ステップＳ２０１に戻る。その際には、図１４に示すような画面８０４を表示してもよい。
【００３２】
設定用対話画面で何れかのボタンが押下され（ステップＳ２１５でＹＥＳ）、それが機能の設定値を決定するボタンならば（ステップＳ２１９でＹＥＳ）、そのボタンで指定された設定値を一時保存する（ステップＳ２２１）。
【００３３】
設定用対話画面で何れかのボタンが押下され（ステップＳ２１５でＹＥＳ）、それが他の設定用対話画面を指定するボタンならば（ステップＳ２２３でＹＥＳ）、そのボタンで指定された他の設定用対話画面を表示して、そこにフォーカスを移す（ステップＳ２２５）。
【００３４】
設定用対話画面で何れかのボタンが押下され（ステップＳ２１５でＹＥＳ）、それがＯＫボタン、機能の設定値を決定するボタン、他の設定用対話画面を指定するボタンのいずれでもない場合には、当該押されたボタンに応じた動作をする（ステップＳ２２６）。
【００３５】
図４を参照すると、ステップＳ２２９では、図１５に示すような使用／不使用を選択するための画面３０１を表示する（ステップＳ２２９）。この画面において、「不使用ボタン」（画面３０１の「いいえ」に対応する）が押下されたならば（ステップＳ２３１で「不使用ボタン」）、処理を終了する。
【００３６】
「使用ボタン」（画面３０１の「はい」に対応する。）が押下されたならば（ステップＳ２３１で「使用ボタン」）、図１６に示すような登録／プレビュー選択画面３０３を表示する（ステップＳ２３３）。「プレビューボタン」が押されたならば（ステップＳ２３５で「プレビューボタン」）、ステップ２４９に進む。
【００３７】
「登録ボタン」（画面３０３の「プログラム」に対応する。）が押下されたならば（ステップＳ２３５で「登録ボタン」）、図１７に示すような登録用ボタン３０５を表示する（ステップＳ２３７）。
【００３８】
登録用ボタン３０５で、何れかの登録番号ボタンが押下されたならば（ステップＳ２３９でＹＥＳ）、図１８に示すような登録名入力／登録実行画面３０７を表示する（ステップＳ２４１）。
【００３９】
登録名／登録実行画面３０７において、何れかのボタンが押され（ステップＳ２４３）、それが登録ボタン（画面３０７の「ＯＫ」に対応する）以外のボタンであれば（ステップＳ２４３で「他のボタン」）、押されたボタンに従って登録名を合成する（ステップＳ２４５）。
【００４０】
登録名／登録実行画面３０７において、何れかのボタンが押され（ステップＳ２４３）、それが登録ボタン（画面３０７の「ＯＫ」に対応する）であれば（ステップＳ２４３で「登録ボタン」）、登録を実行し（ステップＳ２４７）、ステップ２５５に進む。
【００４１】
図５を参照すると、ステップＳ２５５では、図１９に示すようなプレビュー選択画面３０９を表示し、「プレビュー」ボタンが押下されたならば（ステップＳ２５７でＹＥＳ）、ステップＳ２４９に進む。
【００４２】
ステップＳ２４９では、図２０に示すようなプレビュー画面２４９を表示し、印刷ボタン（プレビュー画面の「カラースタート」又は「白黒スタート」に対応する。」が押下されたならば（ステップＳ２５１でＹＥＳ）、印刷を実行する（ステップＳ２５３）。
【００４３】
［第２の実施の形態］
第２の実施の形態の基本的な構成は、第１の実施の形態のものと同様であるので重複する説明を省略し、相違点のみの説明をする。
【００４４】
第１の実施の形態では、機能特定部１２１は、動画の再生中に、割込受付部１１５等が受け付けた外部から所定の入力があったならば、その時に前記動画において何の機能の値を設定しているのかを特定する。ここで、設定値変更部１１３は、機能特定部１２１により特定された機能に対する初期設定値を他の設定値に変更する。
【００４５】
又は、機能表示部１２３は、機能特定部１２１により特定された機能及び初期設定値設定部１０７により初期設定値が設定された他の機能の少なくとも一部を、機能特定部１２１により特定された機能と初期設定値設定部１０７により初期設定値が決定された他の機能の少なくとも一部との区別が付くように表示する。ここで、設定値変更部１１３は、機能表示部１２３が表示した機能のうち外部から選択された機能に対する初期設定値を他の設定値に変更する。
【００４６】
これに対して、第２の実施の形態では、機能表示部１２３は、動画の再生の終了後に、外部から所定の入力があったならば、初期設定値設定部１０７により初期設定値が設定された前記１以上の機能の少なくとも一部を表示する。ここで、設定値変更部１１３は、機能表示部１２３が表示した機能のうち外部から選択された機能に対する初期設定値を他の設定値に変更する。
【００４７】
次に、図６、図７、図８、図９を参照して、本発明の第２の実施の形態による機能設定装置の動作について説明する。
【００４８】
図６を参照すると、まず、目的に応じて、各機能に対する初期設定値を設定し、これを一時保存する（ステップＳ３００）。
【００４９】
次に、動画の再生（ステップＳ３０１）を続け（ステップＳ３０３でＮＯ）、動画の再生の終了後に（ステップＳ３０３でＹＥＳ）、ステップＳ３０５進む。
【００５０】
変更ボタンの押下がなければ（ステップＳ３０５でＮＯ）、ステップＳ３２９（図８）に進む。変更ボタンは、動画の周辺に設けても良いし、動画の内部に設けても良いし、画面外に設けても良い。
【００５１】
変更ボタンの押下があれば（ステップＳ３０５でＹＥＳ）、図１２に示すような確認画面８０１で「はい」ならば、図１３に示すような選択用画面８０３を表示する（ステップＳ３０７）。ここで、図１３の例では、既に再生された部分に対応する１つの機能と、現在再生されている部分に対応する１つの機能と、将来再生される部分に対応する１つの機能が、これらの区別が付くように表示されているが、一般には、これらの３種類（過去、現在、未来）の部分のそれぞれに１以上の機能を対応させて、これらの３種類の部分に対応する機能の区別がつくように表示する。また、現在再生されている部分に対応する機能のみをそれに対応した設定指定ボタンで選択することができるようにしてもよいし、任意の機能をそれに対応した設定指定ボタンで選択することができるようにしてもよい。
【００５２】
図７を参照すると、何れかの設定指定ボタンが押下されたならば（ステップＳ３０９でＹＥＳ）、押下された設定指定ボタンに対応した設定用対話画面（例えば、図３０に示すような画面１０３）を表示する（ステップＳ３１１）。
【００５３】
設定用対話画面で何れかのボタンが押下され（ステップＳ３１５でＹＥＳ）、それがＯＫボタンならば（ステップＳ３１７でＹＥＳ）、ステップＳ３０７に戻る。その際には、図１４に示すような画面８０４を表示してもよい。
【００５４】
設定用対話画面で何れかのボタンが押下され（ステップＳ３１５でＹＥＳ）、それが機能の設定値を決定するボタンならば（ステップＳ３１９でＹＥＳ）、そのボタンで指定された設定値を一時保存する（ステップＳ３２１）。
【００５５】
設定用対話画面で何れかのボタンが押下され（ステップＳ３１５でＹＥＳ）、それが他の設定用対話画面を指定するボタンならば（ステップＳ３２３でＹＥＳ）、そのボタンで指定された他の設定用対話画面を表示して、そこにフォーカスを移す（ステップＳ３２５）。
【００５６】
設定用対話画面で何れかのボタンが押下され（ステップＳ３１５でＹＥＳ）、それがＯＫボタン、機能の設定値を決定するボタン、他の設定用対話画面を指定するボタンのいずれでもない場合には、当該押されたボタンに応じた動作をする（ステップＳ３２６）。
【００５７】
図８を参照すると、ステップＳ３２９では、図１５に示すような使用／不使用を選択するための画面３０１を表示する（ステップＳ３２９）。この画面において、「不使用ボタン」（画面３０１の「いいえ」に対応する）が押下されたならば（ステップＳ３３１で「不使用ボタン」）、処理を終了する。
【００５８】
「使用ボタン」（画面３０１の「はい」に対応する。）が押下されたならば（ステップＳ３３１で「使用ボタン」）、図１６に示すような登録／プレビュー選択画面３０３を表示する（ステップＳ３３３）。「プレビューボタン」が押されたならば（ステップＳ３３５で「プレビューボタン」）、ステップ２４９に進む。
【００５９】
「登録ボタン」（画面３０３の「プログラム」に対応する。）が押下されたならば（ステップＳ３３５で「登録ボタン」）、図１７に示すような登録用ボタン３０５を表示する（ステップＳ３３７）。
【００６０】
登録用ボタン３０５で、何れかの登録番号ボタンが押下されたならば（ステップＳ３３９でＹＥＳ）、図１８に示すような登録名入力／登録実行画面３０７を表示する（ステップＳ３４１）。
【００６１】
登録名／登録実行画面３０７において、何れかのボタンが押され（ステップＳ３４３）、それが登録ボタン（画面３０７の「ＯＫ」に対応する）以外のボタンであれば（ステップＳ３４３で「他のボタン」）、押されたボタンに従って登録名を合成する（ステップＳ３４５）。
【００６２】
登録名／登録実行画面３０７において、何れかのボタンが押され（ステップＳ３４３）、それが登録ボタン（画面３０７の「ＯＫ」に対応する）であれば（ステップＳ３４３で「登録ボタン」）、登録を実行し（ステップＳ３４７）、ステップ２５５に進む。
【００６３】
図９を参照すると、ステップＳ３５５では、図１９に示すようなプレビュー選択画面３０９を表示し、「プレビュー」ボタンが押下されたならば（ステップＳ３５７でＹＥＳ）、ステップＳ３４９に進む。
【００６４】
ステップＳ３４９では、図２０に示すようなプレビュー画面２４９を表示し、印刷ボタン（プレビュー画面の「カラースタート」又は「白黒スタート」に対応する。」が押下されたならば（ステップＳ３５１でＹＥＳ）、印刷を実行する（ステップＳ３５３）。
【００６５】
［第３の実施形態］
第３の実施の形態の基本的な構成は、第１の実施の形態のものと同様であるので重複する説明を省略し、相違点のみの説明をする。
【００６６】
第１の実施の形態では、機能特定部１２１は、動画の再生中に、割込受付部１１５等が受け付けた外部から所定の入力があったならば、その時に前記動画において何の機能の値を設定しているのかを特定する。ここで、設定値変更部１１３は、機能特定部１２１により特定された機能に対する初期設定値を他の設定値に変更する。
【００６７】
又は、機能表示部１２３は、機能特定部１２１により特定された機能及び初期設定値設定部１０７により初期設定値が設定された他の機能の少なくとも一部を、機能特定部１２１により特定された機能と初期設定値設定部１０７により初期設定値が決定された他の機能の少なくとも一部との区別が付くように表示する。ここで、設定値変更部１１３は、機能表示部１２３が表示した機能のうち外部から選択された機能に対する初期設定値を他の設定値に変更する。
【００６８】
第２の実施の形態では、これに追加して、機能表示部１２３は、動画の再生の終了後に、外部から所定の入力があったならば、初期設定値設定部１０７により初期設定値が設定された前記１以上の機能の少なくとも一部を表示する。ここで、設定値変更部１１３は、機能表示部１２３が表示した機能のうち外部から選択された機能に対する初期設定値を他の設定値に変更する。
【００６９】
次に、図１０を参照して、本発明の第３の実施の形態による機能設定装置の動作について説明する。
【００７０】
図１０を参照すると、まず、目的に応じて、各機能に対する初期設定値を設定し、これを一時保存する（ステップＳ４００）。
【００７１】
次に、動画の再生（ステップＳ４０１）を開始してから終了するまで（ステップＳ４０３でＮＯである期間）、変更ボタンの押下がなければ（ステップＳ４０５でＮＯ）、動画の再生の終了後に（ステップＳ４０３でＹＥＳ）、ステップＳ４１３に進む。
【００７２】
動画の再生を開始してから終了するまで、変更ボタンの押下があれば（ステップＳ４０５でＹＥＳ）、図１２に示すような確認画面８０１で「はい」ならば、図１３に示すような選択用画面を表示する（ステップＳ４０７）。ステップＳ４０７以降は、第１の実施の形態と同様な動作をする。
【００７３】
ステップＳ４１３では、図１３に示すような選択用画面８０３を表示する（ステップＳ４１３）。ステップＳ４１３以降は、第２の実施の形態と同様な動作をする。
【００７４】
図１１に、本発明が実施される画像形成装置８００の概要を示す。
【００７５】
画像形成装置８００は、外部から伝達された画像データに応じて、所定のシート（記録用紙）に対して多色及び単色の画像を形成するもので、装置本体８１０と、自動原稿処理装置８２０とにより構成されている。装置本体８１０は、露光ユニット１、現像器２、感光体ドラム３、クリーナユニット４、帯電器５、中間転写ベルトユニット６、定着ユニット７、給紙カセット８１、排紙トレイ９１等を有して構成されている。
【００７６】
装置本体８１０の上部には、原稿が載置される透明ガラスからなる原稿載置台９２が設けられ、原稿載置台９２の上側には自動原稿処理装置８２０が取り付けられている。自動原稿処理装置８２０は、原稿載置台９２の上に自動で原稿を搬送する。また原稿処理装置８２０は矢印Ｍ方向に回動自在に構成され、原稿載置台９２の上を開放することにより原稿を手置きで置くことができるようになっている。
【００７７】
本画像形成装置において扱われる画像データは、ブラック（Ｋ）、シアン（Ｃ）、マゼンタ（Ｍ）、イエロー（Ｙ）の各色を用いたカラー画像に応じたものである。従って、現像器２、感光体ドラム３、帯電器５、クリーナユニット４は、各色に応じた４種類の潜像を形成するようにそれぞれ４個ずつ設けられ、それぞれブラック、シアン、マゼンタ、イエローに設定され、これらによって４つの画像ステーションが構成されている。
【００７８】
帯電器５は、感光体ドラム３の表面を所定の電位に均一に帯電させるための帯電手段であり、図２１に示すようなチャージャ型の他、接触型のローラ型やブラシ型の帯電器が用いられることもある。
【００７９】
露光ユニット１は、本発明に関わる画像書込み装置に該当するものであり、レーザ出射部及び反射ミラー等を備えたレーザスキャニングユニット（ＬＳＵ）として構成される。露光ユニット１は、レーザビームを走査するポリゴンミラーと、ポリゴンミラーによって反射されたレーザ光を感光体ドラム３に導くためのレンズやミラー等の光学要素が配置されている。露光ユニット１を構成する光走査装置の構成は、後述して具体的に説明する。また露光ユニット１としては、この他発光素子をアレイ状に並べた例えばＥＬやＬＥＤ書込みヘッドを用いる手法も採用できる。
【００８０】
露光ユニット１は、帯電された感光体ドラム３を入力された画像データに応じて露光することにより、その表面に、画像データに応じた静電潜像を形成する機能を有する。現像器２はそれぞれの感光体ドラム３上に形成された静電潜像を４色（ＹＭＣＫ）のトナーにより顕像化するものである。またクリーナユニット４は、現像・画像転写後における感光体ドラム３上の表面に残留したトナーを、除去・回収する。
【００８１】
感光体ドラム３の上方に配置されている中間転写ベルトユニット６は、中間転写ベルト６１、中間転写ベルト駆動ローラ６２、中間転写ベルト従動ローラ６３、中間転写ローラ６４、及び中間転写ベルトクリーニングユニット６５を備えている。上記中間転写ローラ６４は、ＹＭＣＫ用の各色に対応して４本設けられている。
【００８２】
中間転写ベルト駆動ローラ６２、中間転写ベルト従動ローラ６３、及び中間転写ローラ６４は、中間転写ベルト６１を張架して回転駆動させる。また各中間転写ローラ６４は、感光体ドラム３のトナー像を、中間転写ベルト６１上に転写するための転写バイアスを与える。
【００８３】
中間転写ベルト６１は、各感光体ドラム３に接触するように設けられている、そして、感光体ドラム３に形成された各色のトナー像を中間転写ベルト６１に順次的に重ねて転写することによって、中間転写ベルト６１上にカラーのトナー像（多色トナー像）を形成する機能を有している。中間転写ベルト６１は、例えば厚さ１００μｍ〜１５０μｍ程度のフィルムを用いて無端状に形成されている。
【００８４】
感光体ドラム３から中間転写ベルト６１へのトナー像の転写は、中間転写ベルト６１の裏側に接触している中間転写ローラ６４によって行われる。中間転写ローラ６４には、トナー像を転写するために高電圧の転写バイアス（トナーの帯電極性（−）とは逆極性（＋）の高電圧）が印加されている。中間転写ローラ６４は、直径８〜１０ｍｍの金属（例えばステンレス）軸をベースとし、その表面が導電性の弾性材（例えばＥＰＤＭ，発泡ウレタン等）により覆われているローラである。この導電性の弾性材により、中間転写ベルト６１に対して均一に高電圧を印加することができる。本実施形態では転写電極としてローラ形状を使用しているが、それ以外にブラシなども用いることが可能である。
【００８５】
上述の様に各感光体ドラム３上で各色相に応じて顕像化された静電像は中間転写ベルト６１で積層される。このように、積層された画像情報は中間転写ベルト６１の回転によって、後述の用紙と中間転写ベルト６１の接触位置に配置される転写ローラ１０によって用紙上に転写される。
【００８６】
このとき、中間転写ベルト６１と転写ローラ１０は所定ニップで圧接されると共に、転写ローラ１０にはトナーを用紙に転写させるための電圧が印加される（トナーの帯電極性（−）とは逆極性（＋）の高電圧）。さらに、転写ローラ１０は上記ニップを定常的に得るために、転写ローラ１０もしくは前記中間転写ベルト駆動ローラ６２の何れか一方を硬質材料（金属等）とし、他方を弾性ローラ等の軟質材料（弾性ゴムローラ、または発泡性樹脂ローラ等々）が用いられる。
【００８７】
また、上記のように、感光体ドラム３に接触することにより中間転写ベルト６１に付着したトナー、もしくは転写ローラ１０によって用紙上に転写が行われず中間転写ベルト６１上に残存したトナーは、次工程でトナーの混色を発生させる原因となるために、中間転写ベルトクリーニングユニット６５によって除去・回収されるように設定されている。中間転写ベルトクリーニングユニット６５には、中間転写ベルト６１に接触する例えばクリーニング部材としてクリーニングブレードが備えられており、クリーニングブレードが接触する中間転写ベルト６１は、裏側から中間転写ベルト従動ローラ６３で支持されている。
【００８８】
給紙カセット８１は、画像形成に使用するシート（記録用紙）を蓄積しておくためのトレイであり、装置本体８１０の露光ユニット１の下側に設けられている。また手差し給紙カセット８２にも画像形成に使用するシートを置くことができる。また、装置本体８１０の上方に設けられている排紙トレイ９１は、印刷済みのシートをフェイスダウンで集積するためのトレイである。
【００８９】
また装置本体８１０には、給紙カセット８１及び手差し給紙カセット８２のシートを転写ローラ１０や定着ユニット７を経由させて排紙トレイ９１に送るための、略垂直形状の用紙搬送路Ｓが設けられている。給紙カセット８１ないし手差し給紙カセット８２から排紙トレイ９１までの用紙搬送路Ｓの近傍には、ピックアップローラ１１ａ，１１ｂ、複数の搬送ローラ１２ａ〜１２ｄ，レジストローラ１３、転写ローラ１０、定着ユニット７等が配されている。
【００９０】
搬送ローラ１２ａ〜１２ｄは、シートの搬送を促進・補助するための小型のローラであり、用紙搬送路Ｓに沿って複数設けられている。またピックアップローラ１１ａは、給紙カセット８１の端部近傍に備えられ、給紙カセット８１からシートを１枚ずつピックアップして用紙搬送路Ｓに供給する。同様にまたピックアップローラ１１ｂは、手差し給紙カセット８２の端部近傍に備えられ、手差し給紙カセット８２からシートを１枚ずつピックアップして用紙搬送路Ｓに供給する。
【００９１】
また、レジストローラ１３は、用紙搬送路Ｓを搬送されているシートを一旦保持するものである。そして、感光体ドラム３上のトナー像の先端とシートの先端を合わせるタイミングでシートを転写ローラ１０に搬送する機能を有している。
【００９２】
定着ユニット７は、ヒートローラ７１及び加圧ローラ７２を備えており、ヒートローラ７１及び加圧ローラ７２は、シートを挟んで回転するようになっている。またヒートローラ７１は、図示しない温度検出器からの信号に基づいて制御部によって所定の定着温度となるように設定されており、加圧ローラ７２とともにトナーをシートに熱圧着することにより、シートに転写された多色トナー像を溶融・混合・圧接し、シートに対して熱定着させる機能を有している。またヒートローラ７１を外部から加熱するための外部加熱ベルト７３が設けられている。
【００９３】
次にシート搬送経路を詳細に説明する。上述のように、画像形成装置には予めシートを収納する給紙カセット８１、及び手差し給紙カセット８２が設けられている。これら給紙カセット８１，８２からシートを給紙するために、各々ピックアップローラ１１ａ，１１ｂが配置され、シートを１枚ずつ搬送路Ｓに導くようになっている。
【００９４】
各給紙カセット８１，８２から搬送されるシートは用紙搬送路Ｓの搬送ローラ１２ａによってレジストローラ１３まで搬送され、シートの先端と中間転写ベルト６１上の画像情報の先端を整合するタイミングで転写ローラ１０に搬送され、シート上に画像情報が書き込まれる。その後、シートは定着ユニット７を通過することによってシート上の未定着トナーが熱で溶融・固着され、その後に配された搬送ローラ１２ｂを経て排紙トレイ９１上に排出される。
【００９５】
上記の搬送経路は、シートに対する片面印字要求のときのものであるが、これに対して両面印字要求の時は、上記のように片面印字が終了し定着ユニット７を通過したシートの後端が最終の搬送ローラ１２ｂで把持されたときに、搬送ローラ１２ｂが逆回転することによってシートを搬送ローラ１２ｃ，１２ｄに導く。そしてその後レジストローラ１３を経てシート裏面に印字が行われた後にシートが排紙トレイ９１に排出される。
【００９６】
なお、上記の実施形態においては、タッチパネル付き画面を利用して機能に対して設定値を設定することとしたが、他の手段によってそのような設定をしてもよい。例えば、入力装置と表示装置を分離させてもよい。また、動画は、連続動画であっても良いし、スライドを複数続けて表示するような動画であってもよい。更に、１つの設定画面で必要な設定ができるのであれば、設定を説明するための画像として、動画の代わりに静止画を用いてもよい。
【実施例１】
【００９７】
次に、第１の実施の形態に対応する１つめの実施例である実施例１について説明する。
実施例１は、カードスキャンを画像読取装置の利用における目的とするものである。ここで、カードスキャンとは、例えば、名刺のスキャンのことである。
【００９８】
図２１を参照すると、カードスキャンに対応した初期設定値を１以上の機能に対して設定するための設定用画面に対する操作の画面を時刻ｔ１から時刻ｔ２の間に再生する。カードスキャンに対応した初期設定値を１以上の機能に対して設定するための設定用画面は、例えば、図２２に示すカードスキャン設定用対話画面１０３である。カードスキャンに対応するようにカードスキャン設定用対話画面１０３で初期設定値を設定できる機能は、
・カードスキャン  ｏｎ／ｏｆｆ
・読取範囲（縦×横）  ｍｍ単位の数値で指定
・用紙サイズに合わせる  ＹＥＳ／ＮＯ
である。初期設定値としては、例えば、
・カードスキャン  ｏｎ
・読取範囲（縦×横）５４ｍｍ×８６ｍｍ
・用紙サイズに合わせる  ＮＯ
が設定される。
【００９９】
動画は、カードスキャン設定用対話画面１０３でこれらの初期設定値を設定するための操作を示すものである。
【０１００】
時刻ｔ１から時刻ｔ２の間に変更ボタンが押下されたならば、カードスキャン設定用対話画面１０３を表示して、既に説明した第１の実施の形態の動作を実施する。
【実施例２】
【０１０１】
次に、第１の実施の形態に対応する２つめの実施例である実施例２について説明する。
実施例２は、節約を画像読取装置の利用における目的とするものである。ここで、節約とは、トナーの節約、用紙の節約及び／又は時間の節約のことである。
【０１０２】
図２２を参照すると、カードスキャンに対応した初期設定値を１以上の機能に対して設定するための第１、第２、第３及び第４の設定用画面に対する操作の画面を、それぞれ、時刻ｔ２１から時刻ｔ２２、時刻ｔ２２から時刻ｔ２３、時刻ｔ２３から時刻ｔ２４及び時刻ｔ２４から時刻ｔ２５の間に再生する。節約に対応した初期設定値を１以上の機能に対して設定するための第１、第２、第３及び第４設定用画面は、例えば、図３１に示す用紙サイズ設定用対話画面１１６、図３２に示す集約ページ数設定用対話画面１１７、図３３に示す境界線設定用対話画面１１９及び図３４に示す両面コピー設定用対話画面１２１である。
【０１０３】
時刻ｔ２１から時刻ｔ２２の間に変更ボタンが押下されると、選択用画面１１０（画面内容は図示せず）が表示される。選択用画面１１０で現在設定指定ボタン（現在再生している部分に対応する機能に対する設定を指定するボタン）が押下されると、用紙サイズ設定用対話画面１１６が表示される。同様に、時刻ｔ２２から時刻ｔ２３の間に変更ボタンが押下されると、選択用画面１１１（画面内容は図示せず）が表示される。選択用画面１１１で現在設定指定ボタン（現在再生している部分に対応する機能に対する設定を指定するボタン）が押下されると、集約ページ数設定用対話画面１１７が表示される。時刻ｔ２３から時刻ｔ２４の間に変更ボタンが押下されると、選択用画面１１３（画面内容は図示せず）が表示される。選択用画面１１３で現在設定指定ボタン（現在再生している部分に対応する機能に対する設定を指定するボタン）が押下されると、境界線設定用対話画面１１９が表示される。時刻ｔ２４から時刻ｔ２５の間に変更ボタンが押下されると、選択用画面１１５（画面内容は図示せず）が表示される。選択用画面１１５で現在設定指定ボタン（現在再生している部分に対応する機能に対する設定を指定するボタン）が押下されると、両面コピー設定用対話画面１２１が表示される。
【０１０４】
節約に対応するように用紙サイズ設定用対話画面１１６で初期設定値を設定できる機能は、
・給紙トレイ  トレイ１（Ｂ５普通紙）、トレイ２（Ａ４普通紙）等
である。初期設定値としては、例えば、
・給紙トレイ  トレイ２（Ａ４普通紙）
が設定される。
節約に対応するように集約ページ数設定用対話画面１１７で初期設定値を設定できる機能は、
・集約ページ数  Ｏｆｆ、２ページ（順序１）、２ページ（順序２）、
４ページ（順序１）、4ページ（順序２）、８ページ（順序１）、８ページ（順序２）
である。初期設定値としては、例えば、
・集約ページ数  ４ページ（順序１）
が設定される。
【０１０５】
節約に対応するように境界線設定用対話画面１１９で初期設定値を設定できる機能は、
・境界線  Ｏｆｆ、実線、破線
である。初期設定値としては、例えば、
・境界線  破線
が設定される。
【０１０６】
節約に対応するように両面コピー設定用対話画面１２１で初期設定値を設定できる機能は、
・両面コピー  片面→片面、片面→両面、両面→両面、両面→片面
・仕上がりのとじ方  よことじ、たてとじ
である。初期設定値としては、例えば、
・両面コピー  片面→両面
・仕上がりのとじ方  よことじ
が設定される。
【実施例３】
【０１０７】
次に、第１の実施の形態に対応する３つめの実施例である実施例２について説明する。
実施例３は、実施例２を変形したものである。例えば、時刻ｔ２３から時刻ｔ２４の間に変更ボタンが押下されると、選択用画面１１３（画面内容は図示せず）が表示される。図２３に示すように、選択用画面１１３で現在設定指定ボタン（現在再生している部分に対応する機能に対する設定を指定するボタン）が押下されると、境界線設定用対話画面１１９が表示される。また、選択用画面１１３で過去設定指定ボタン（過去に再生した部分に対応する機能に対する設定を指定するボタン）が押下されると、集約ページ数設定用対話画面１１７が表示される。選択用画面１１３で将来設定指定ボタン（将来再生する部分に対応する機能に対する設定を指定するボタン）が押下されると、両面コピー設定用対話画面１２１が表示される。
【実施例４】
【０１０８】
次に、第１の実施の形態に対応する４つめの実施例である実施例２について説明する。
実施例４は、節約を画像読取装置の利用における目的とするものである。ここで、節約とは、トナーの節約、用紙の節約及び／又は時間の節約のことである。
【０１０９】
図２４を参照すると、カードスキャンに対応した初期設定値を１以上の機能に対して設定するための第１、第２、及び第３の設定用画面に対する操作の画面を、それぞれ、時刻ｔ３１から時刻ｔ３２、時刻ｔ３２から時刻ｔ３４及び時刻ｔ３４から時刻ｔ３５の間に再生する。節約に対応した初期設定値を１以上の機能に対して設定するための第１、第２及び第３設定用画面は、例えば、図３１に示す用紙サイズ設定用対話画面１１６、図３５に示す集約ページ数設定兼境界線設定用対話画面１３５、図３３に示す境界線設定用対話画面１１９及び図３４に示す両面コピー設定用対話画面１２１である。
【０１１０】
時刻ｔ３１から時刻ｔ３２の間に変更ボタンが押下されると、選択用画面１２８（画面内容は図示せず）が表示される。選択用画面１２８で現在設定指定ボタン（現在再生している部分に対応する機能に対する設定を指定するボタン）が押下されると、用紙サイズ設定用対話画面１１６が表示される。同様に、時刻ｔ３２から時刻ｔ３３の間に変更ボタンが押下されると、選択用画面１２９（画面内容は図示せず）が表示される。選択用画面１２９で現在設定指定ボタン（現在再生している部分に対応する機能に対する設定を指定するボタン）が押下されると、集約ページ数設定兼境界線設定用対話画面１３５が表示される。時刻ｔ３３から時刻ｔ３４の間に変更ボタンが押下されると、選択用画面１３１（画面内容は図示せず）が表示される。選択用画面１３１で現在設定指定ボタン（現在再生している部分に対応する機能に対する設定を指定するボタン）が押下されると、境界線設定兼境界線設定用対話画面１３５が表示される。時刻ｔ３４から時刻ｔ３５の間に変更ボタンが押下されると、選択用画面１３３（画面内容は図示せず）が表示される。選択用画面で１３３で現在設定指定ボタン（現在再生している部分に対応する機能に対する設定を指定するボタン）が押下されると、両面コピー設定用対話画面１２１が表示される。
【０１１１】
節約に対応するように用紙サイズ設定用対話画面１１６で初期設定値を設定できる機能は、
・給紙トレイ  トレイ１（Ｂ５普通紙）、トレイ２（Ａ４普通紙）等
である。初期設定値としては、例えば、
・給紙トレイ  トレイ２（Ａ４普通紙）
が設定される。
【０１１２】
節約に対応するように集約ページ数設定兼境界線設定用対話画面１３５で初期設定値を設定できる機能は、
・集約ページ数  Ｏｆｆ、２ページ（順序１）、２ページ（順序２）、
４ページ（順序１）、4ページ（順序２）、８ページ（順序１）、８ページ（順序２）
・境界線  Ｏｆｆ、実線、破線
である。初期設定値としては、例えば、
・集約ページ数  ４ページ（順序１）
・境界線  破線
が設定される。
【０１１３】
節約に対応するように両面コピー設定用対話画面１２１で初期設定値を設定できる機能は、
・両面コピー  片面→片面、片面→両面、両面→両面、両面→片面
・仕上がりのとじ方  よことじ、たてとじ
である。初期設定値としては、例えば、
・両面コピー  片面→両面
・仕上がりのとじ方  よことじ
が設定される。
【実施例５】
【０１１４】
次に、第１の実施の形態に対応する５つめの実施例である実施例２について説明する。
実施例５は、実施例２を変形したものである。実施例２における集約ページ数設定用対話画面１１７は、図３６に示すような集約ページ数設定用対話画面１４７に置き換わる。集約ページ数設定用対話画面１４７では、境界線ボタンと原稿ボタンが追加されている。
【０１１５】
図２５を参照すると、原稿ボタンが押下されると集約ページ数設定用対話画面１４７は、用紙サイズ設定用対話画面１１６に遷移する。境界線ボタンが押下されると集約ページ数設定用対話画面１４７は、境界線設定用対話画面１１９に遷移する。
【実施例６】
【０１１６】
次に、第２の実施の形態に対応する１つめの実施例である実施例６について説明する。
実施例６は、カードスキャンを画像読取装置の利用における目的とするものである。ここで、カードスキャンとは、例えば、名刺のスキャンのことである。
【０１１７】
図２６を参照すると、カードスキャンに対応した初期設定値を１以上の機能に対して設定するための設定用画面に対する操作の画面を時刻ｔ５１から時刻ｔ５２の間に再生する。カードスキャンに対応した初期設定値を１以上の機能に対して設定するための設定用画面は、例えば、図３０に示すカードスキャン設定用対話画面１０３である。カードスキャンに対応するようにカードスキャン設定用対話画面１０３で初期設定値を設定できる機能は、
・カードスキャン  ｏｎ／ｏｆｆ
・読取範囲（縦×横）  ｍｍ単位の数値で指定
・用紙サイズに合わせる  ＹＥＳ／ＮＯ
である。初期設定値としては、例えば、
・カードスキャン  ｏｎ
・読取範囲（縦×横）５４ｍｍ×８６ｍｍ
・用紙サイズに合わせる  ＮＯ
が設定される。
【０１１８】
動画は、カードスキャン設定用対話画面１０３でこれらの初期設定値を設定するための操作を示すものである。
動画の再生の終了後に変更ボタンが押下されたならば、カードスキャン設定用対話画面１０３を表示して、既に説明した第１の実施の形態の動作を実施する。
【実施例７】
【０１１９】
次に、第２の実施の形態に対応する２つめの実施例である実施例７について説明する。
実施例７は、節約を画像読取装置の利用における目的とするものである。ここで、節約とは、トナーの節約、用紙の節約及び／又は時間の節約のことである。
【０１２０】
図２７を参照すると、カードスキャンに対応した初期設定値を１以上の機能に対して設定するための第１、第２、第３及び第４の設定用画面に対する操作の画面を、それぞれ、時刻ｔ６１から時刻ｔ６２、時刻ｔ６２から時刻ｔ６３、時刻ｔ６３から時刻ｔ６４及び時刻ｔ６４から時刻ｔ６５の間に再生する。節約に対応した初期設定値を１以上の機能に対して設定するための第１、第２、第３及び第４設定用画面は、例えば、図３１に示す用紙サイズ設定用対話画面１１６、図３２に示す集約ページ数設定用対話画面１１７、図３３に示す境界線設定用対話画面１１９及び図３４に示す両面コピー設定用対話画面１２１である。
【０１２１】
動画の再生が終了してから変更ボタンが押下されると、選択用画面２０９（画面内容は図示せず）が表示される。選択用画面２０９で用紙サイズ設定指定ボタンが押下されると、用紙サイズ設定用対話画面１１６が表示される。同様に、選択用画面２０９で集約ページ数設定指定ボタンが押下されると、集約ページ数設定用対話画面１１７が表示される。選択用画面２０９で境界線設定指定ボタンが押下されると、境界線設定用対話画面１１９が表示される。選択用画面２０９で両面コピー設定指定ボタンが押下されると、両面コピー設定用対話画面１２１が表示される。
【０１２２】
節約に対応するように用紙サイズ設定用対話画面１１６で初期設定値を設定できる機能は、
・給紙トレイ  トレイ１（Ｂ５普通紙）、トレイ２（Ａ４普通紙）等
である。初期設定値としては、例えば、
・給紙トレイ  トレイ２（Ａ４普通紙）
が設定される。
【０１２３】
節約に対応するように集約ページ数設定用対話画面１１７で初期設定値を設定できる機能は、
・集約ページ数  Ｏｆｆ、２ページ（順序１）、２ページ（順序２）、
４ページ（順序１）、4ページ（順序２）、８ページ（順序１）、８ページ（順序２）
である。初期設定値としては、例えば、
・集約ページ数  ４ページ（順序１）
が設定される。
【０１２４】
節約に対応するように境界線設定用対話画面１１９で初期設定値を設定できる機能は、
・境界線  Ｏｆｆ、実線、破線
である。初期設定値としては、例えば、
・境界線  破線
が設定される。
【０１２５】
節約に対応するように両面コピー設定用対話画面１２１で初期設定値を設定できる機能は、
・両面コピー  片面→片面、片面→両面、両面→両面、両面→片面
・仕上がりのとじ方  よことじ、たてとじ
である。初期設定値としては、例えば、
・両面コピー  片面→両面
・仕上がりのとじ方  よことじ
が設定される。
【実施例８】
【０１２６】
次に、第２の実施の形態に対応する３つめの実施例である実施例８について説明する。
実施例８は、節約を画像読取装置の利用における目的とするものである。ここで、節約とは、トナーの節約、用紙の節約及び／又は時間の節約のことである。
【０１２７】
図２８を参照すると、カードスキャンに対応した初期設定値を１以上の機能に対して設定するための第１、第２及び第３の設定用画面に対する操作の画面を、それぞれ、時刻ｔ７１から時刻ｔ７２、時刻ｔ７２から時刻ｔ７４及び時刻ｔ７４から時刻ｔ７５の間に再生する。節約に対応した初期設定値を１以上の機能に対して設定するための第１、第２及び第３設定用画面は、例えば、図３１に示す用紙サイズ設定用対話画面１１６、図３５に示す集約ページ数設定用対話画面１３５及び図３４に示す両面コピー設定用対話画面１２１である。
【０１２８】
動画の再生が終了してから変更ボタンが押下されると、選択用画面２１７（画面内容は図示せず）が表示される。選択用画面２１７で用紙サイズ設定指定ボタンが押下されると、用紙サイズ設定用対話画面１１６が表示される。同様に、選択用画面２１７で集約ページ数設定指定ボタンが押下されると、集約ページ数設定兼境界線設定用対話画面１３５が表示される。選択用画面２１７で境界線設定指定ボタンが押下されると、集約ページ数設定兼境界線設定用対話画面１３５が表示される。選択用画面２１７で両面コピー設定指定ボタンが押下されると、両面コピー設定用対話画面１２１が表示される。
【０１２９】
節約に対応するように用紙サイズ設定用対話画面１１６で初期設定値を設定できる機能は、
・給紙トレイ  トレイ１（Ｂ５普通紙）、トレイ２（Ａ４普通紙）等
である。初期設定値としては、例えば、
・給紙トレイ  トレイ２（Ａ４普通紙）
が設定される。
【０１３０】
節約に対応するように集約ページ数設定用対話画面１１７で初期設定値を設定できる機能は、
・集約ページ数  Ｏｆｆ、２ページ（順序１）、２ページ（順序２）、
４ページ（順序１）、4ページ（順序２）、８ページ（順序１）、８ページ（順序２）
である。初期設定値としては、例えば、
・集約ページ数  ４ページ（順序１）
が設定される。
【０１３１】
節約に対応するように境界線設定用対話画面１１９で初期設定値を設定できる機能は、
・境界線  Ｏｆｆ、実線、破線
である。初期設定値としては、例えば、
・境界線  破線
が設定される。
【０１３２】
節約に対応するように両面コピー設定用対話画面１２１で初期設定値を設定できる機能は、
・両面コピー  片面→片面、片面→両面、両面→両面、両面→片面
・仕上がりのとじ方  よことじ、たてとじ
である。初期設定値としては、例えば、
・両面コピー  片面→両面
・仕上がりのとじ方  よことじ
が設定される。
【実施例９】
【０１３３】
次に、第２の実施の形態に対応する４つめの実施例である実施例９について説明する。
実施例９は、実施例７を変形したものである。実施例７における集約ページ数設定用対話画面１１７は、図３６に示すような集約ページ数設定用対話画面１４７に置き換わる。集約ページ数設定用対話画面１４７では、境界線ボタンと原稿ボタンが追加されている。
【０１３４】
図２９を参照すると、原稿ボタンが押下されると集約ページ数設定用対話画面１４７は、用紙サイズ設定用対話画面１１６に遷移する。境界線ボタンが押下されると集約ページ数設定用対話画面１４７は、境界線設定用対話画面１１９に遷移する。
【０１３５】
なお、上記の機能設定装置は、ハードウェア、ソフトウェア又はこれらの組合わせにより実現することができる。また、上記の機能設定装置により行なわれる機能設定方法も、ハードウェア、ソフトウェア又はこれらに組合わせにより実現することができる。ここで、ソフトウェアによって実現されるとは、コンピュータがプログラムを読み込んで実行することにより実現されることを意味する。
【０１３６】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【産業上の利用可能性】
【０１３７】
本発明は、装置に対応して機能に対して設定値を設定するために利用することができる。
【符号の説明】
【０１３８】
１０１  機能設定装置
１４１  画像形成部
１４３  画像読取部
１０３  タッチパネル付き画面
１０５  目的選択部
１０７  一時記憶部
１０９  初期設定値設定部
１１１  動画再生部
１１３  設定値変更部
１１５  設定格納部
１１７  登録部
１１９  割込受付部
１２１  機能特定部
１２３  機能表示部
１２５  設定用画面表示部
１２７  プレビュー部
１２９  画像形成起動部
１３１  画像読取装置起動部
【図１】
2018011255.tif 000003
【図２】
2018011255.tif 000004
【図３】
2018011255.tif 000005
【図４】
2018011255.tif 000006
【図５】
2018011255.tif 000007
【図６】
2018011255.tif 000008
【図７】
2018011255.tif 000009
【図８】
2018011255.tif 000010
【図９】
2018011255.tif 000011
【図１０】
2018011255.tif 000012
【図１１】
2018011255.tif 000013
【図１２】
2018011255.tif 000014
【図１３】
2018011255.tif 000015
【図１４】
2018011255.tif 000016
【図１５】
2018011255.tif 000017
【図１６】
2018011255.tif 000018
【図１７】
2018011255.tif 000019
【図１８】
2018011255.tif 000020
【図１９】
2018011255.tif 000021
【図２０】
2018011255.tif 000022
【図２１】
2018011255.tif 000023
【図２２】
2018011255.tif 000024
【図２３】
2018011255.tif 000025
【図２４】
2018011255.tif 000026
【図２５】
2018011255.tif 000027
【図２６】
2018011255.tif 000028
【図２７】
2018011255.tif 000029
【図２８】
2018011255.tif 000030
【図２９】
2018011255.tif 000031
【図３０】
2018011255.tif 000032
【図３１】
2018011255.tif 000033
【図３２】
2018011255.tif 000034
【図３３】
2018011255.tif 000035
【図３４】
2018011255.tif 000036
【図３５】
2018011255.tif 000037
【図３６】
2018011255.tif 000038